【手続補正書】
【提出日】平成15年10月31日(2003.10.31)
【手続補正１】
【補正対象書類名】特許請求の範囲
【補正対象項目名】全文
【補正方法】変更
【補正の内容】
【特許請求の範囲】
【請求項１】
情報を局地的に提供するためのシステムであって、
ディスプレイとローカルネットワークに接続するための手段とを備えた携帯式装置と、
ローカルネットワークに接続するためまたはローカルネットワークを確立するために構成されている少なくとも１つの局地情報サーバーと、前記携帯式装置と前記局地情報サーバーとは、前記ローカルネットワーク内で相互に接続可能なことと、
前記局地情報サーバーは前記局地情報サーバーの存在を示す信号を定期的に発信するために構成されていることと、
前記携帯式装置は、前記信号をリッスンし、前記信号が検出されたときにローカルネットワーク内の前記局地情報サーバーに接続して、利用可能なサービスにアクセスする方法のアドレス情報を前記局地情報サーバーから受信するために構成されていることと、前記利用可能なサービスの各々はユーザー部分と、情報、特にそのサービスのグラフィック情報を有する情報部分とを有することと、
前記携帯式装置は、前記アドレス情報を受信したのちに、該アドレス情報を使用して、一般サービスネットワーク内で接続しているストレージ情報サーバーに前記ローカルネットワークを介して接続し、前記ストレージ情報サーバーから前記情報、特に前記利用可能なサービスのグラフィック情報を取得するために構成されていることと、
前記携帯式装置は、取得した前記情報から得られ、各々が利用可能なサービスに関連付けられているシンボルをグラフィックとしてディスプレイに表示するために構成されていることと、
前記携帯式装置は、該携帯式装置のユーザーが前記ディスプレイに表示された前記シンボルのうちの１つをマークするか示したのちに、前記シンボルが関連付けられているサービスの、実行可能なプログラムを含むユーザー部分を前記ローカルネットワークを介して前記一般サービスネットワークから取得し、前記ユーザー部分を前記携帯式装置のメモリに記憶して、前記ユーザー部分の実行可能なプログラムを自動的にインストールし、実行を開始するために構成されていることとを特徴とするシステム。
【請求項２】
前記携帯式装置は、局地情報サーバーによって送信された信号を検出し、前記局地情報サーバーに接続したのちに、前記局地情報サーバーによって送信された信号をリッスンし続
け、信号を最後に検出してから所定の時間間隔が経過したのちに、前記ストレージ情報サーバーから以前に取得した情報において利用可能であったサービスに関連するシンボルを、前記ディスプレイから自動的に削除し、前記メモリに記憶されている前記ユーザー部分を前記メモリから自動的に削除するために構成されていることを特徴とする請求項１に記載のシステム。
【請求項３】
前記取得された情報は前記利用可能なサービスの記述的情報、特に比較的短い情報をも含むことを特徴とする請求項１または２に記載のシステム。
【請求項４】
前記ストレージ情報サーバーは、前記情報、特にグラフィック情報および記述的情報の少なくとも一方と、前記利用可能なサービスの前記ユーザー部分とを記憶するための記憶手段を有すること特徴とする請求項１〜３のいずれか１項に記載のシステム。
【請求項５】
前記ローカルネットワークはＩＰベースのネットワークであることを特徴とする請求項１〜４のいずれか１項に記載のシステム。
【請求項６】
前記局地情報サーバーは、前記局地情報サーバーの存在を示す信号をマルチキャストまたはブロードキャストメッセージを介して前記ローカルネットワーク内で定期的に送信するために構成されていることを特徴とする請求項５に記載のシステム。
【請求項７】
前記利用可能なサービスは前記携帯式装置の現在の地理的場所に関連付けられていることを特徴とする請求項１〜６のいずれか１項に記載のシステム。
【請求項８】
前記利用可能なサービスはネットワークゾーンによって決まることを特徴とする請求項１〜７のいずれか１項に記載のシステム。
【請求項９】
前記携帯式装置は定期的に送信される信号をリッスンして、単一のアクセスポイントまたはベースユニットを介して前記ストレージ情報サーバーに接続するために構成されていることを特徴とする請求項１〜８のいずれか１項に記載のシステム。
【請求項１０】
前記ローカルネットワークはローカルエリアネットワーク（ＬＡＮ）、特にワイヤレスローカルエリアネットワーク（ＷＬＡＮ）またはＢｌｕｅｔｏｏｔｈネットワークであることを特徴とする請求項１〜９のいずれか１項に記載のシステム。
【請求項１１】
ディスプレイを備える少なくとも１つの携帯式装置に局地的に情報を提供する方法であって、
局地情報サーバーから前記局地情報サーバーの存在を示す信号を定期的に送信するステップと、
前記携帯式装置が前記局地情報サーバーから送信された信号を常にリッスンするステップと、
前記携帯式装置が、信号を検出したのちにローカルネットワーク内で前記局地情報サーバーに接続し、各々がユーザー部分とそのサービスの情報、より詳細にはグラフィック情報を含む情報部分とを含む利用可能なサービスにアクセスする方法のアドレス情報を前記局地情報サーバーから取得するステップと、
前記携帯式装置が、前記アドレス情報を受信したのちに、該アドレス情報を使用して前記ローカルネットワークを介して一般サービスネットワークおよびその中のストレージ情報サーバーに接続し、前記利用可能なサービスの情報、特にグラフィック情報をそこから取得するステップと、
前記携帯式装置が、取得した前記情報から得られ、各々が利用可能なサービスに関連付けられているシンボルを前記携帯式装置のディスプレイにグラフィカルに表示するステッ
プと、
前記携帯式装置が、前記携帯式装置のユーザーが前記ディスプレイに表示された前記シンボルのうちの１つをマークするか示したのちに、前記シンボルが関連付けられているサービスの、実行可能なプログラムを含むユーザー部分を前記ストレージ情報サーバーから取得し、前記携帯式装置のメモリにこれを記憶して、前記ユーザー部分の実行可能なプログラムを自動的にインストールし、実行を開始するステップとを含むことを特徴とする方法。
【請求項１２】
前記携帯式装置が、局地情報サーバーから送信された信号を検出して、前記局地情報サーバーに接続したのちに、前記局地情報サーバーによって送信された信号をリッスンし続けるステップと、
前記携帯式装置が、信号を最後に検出してから所定の時間間隔が経過したのちに、前記ストレージ情報サーバーから以前に取得した情報において利用可能であったサービスに関連するシンボルを前記ディスプレイから自動的に削除して、前記携帯式装置のメモリに記憶されている前記ユーザー部分を自動的に削除するステップとをさらに含むことを特徴とする請求項１１に記載の方法。
【請求項１３】
前記携帯式装置が情報を取得する前記ステップにおいて、前記情報は前記利用可能なサービスの記述的情報を含むことを特徴とする請求項１１または１２に記載の方法。
【請求項１４】
前記一般サービスネットワーク内で接続している前記ストレージ情報サーバーに情報、特にグラフィック情報および記述的情報の少なくとも一方と、前記利用可能なサービスの前記ユーザー部分とを記憶するステップをさらに有する請求項１１〜１３のいずれか１項に記載の方法。
【請求項１５】
前記局地情報サーバーは、前記局地情報サーバーの存在を示す信号をマルチキャストまたはブロードキャストメッセージを介して前記ローカルネットワーク内で定期的に送信する請求項１１〜１４のいずれか１項に記載の方法。
【請求項１６】
前記利用可能なサービスは前記携帯式装置の現在の地理的場所に関連付けられている請求項１１〜１５のいずれか１項に記載の方法。
【請求項１７】
前記携帯式装置は定期的に送信される信号をリッスンして、単一のアクセスポイントまたはベースユニットを介して前記ストレージ情報サーバーに接続する請求項１１〜１６のいずれか１項に記載の方法。
【請求項１８】
前記ローカルネットワークはローカルエリアネットワーク（ＬＡＮ）、特にワイヤレスローカルエリアネットワーク（ＷＬＡＮ）またはＢｌｕｅｔｏｏｔｈネットワークである請求項１１〜１７のいずれか１項に記載の方法。
【手続補正２】
【補正対象書類名】明細書
【補正対象項目名】００１０
【補正方法】変更
【補正の内容】
【００１０】
ユーザーがこのエリアの外に出ると、ディスプレイからアイコンが消え、ダウンロードしたサービスのユーザー部分が、ユーザー装置のメモリから消去される。より詳細には、ユーザーにとって価値があり、場所に依存しないアプリケーションのユーザー部分などは、オンラインまたはオフラインで使用できるようにユーザー装置に恒久的に記憶させても
よい。ここで、オンラインとは、アプリケーションを実行するために、ユーザー装置がインターネットにあるサーバーと通信しなければならないことを指し、オフラインとは、サーバーと通信しなくともアプリケーションを実行できることを指す。また、その他のアプリケーションのユーザー部分をユーザー装置に恒久的に記憶させて、同じアプリケーションを利用できる同じエリアおよび別のエリアに入ったときに、アプリケーションを迅速に使用できるようにしてもよい。